(57)【要約】【課題】手間もかからずすばやく着脱できる釣竿保持具１００を提供する。【解決手段】釣竿７０１を保持する釣竿保持具１００であって、釣竿７０１を保持する中空の有底の箱体と、前記箱体を内部に保持する箱体保持部と、前記保持具を身体のふくらはぎに固定する固定部とを備え、前記固定部は一対の雌雄からなる面ファスナーを当該固定部の表面および裏面の一部に形成し、雌雄面ファスナーどうしの係着により釣竿保持具１００が身体のふくらはぎに固定されることを特徴とする。【選択図】図２
2008072934.tif 000002
【特許請求の範囲】
【請求項１】
釣竿を保持する釣竿保持具であって、
釣竿を保持する中空の有底の箱体と、
前記箱体を内部に保持する箱体保持部と、
前記箱体保持部と一体形成され、身体のふくらはぎに固定する固定部とを備え、
前記固定部の表面および裏面の一部に、一対の雌雄からなる面ファスナーがそれぞれ形成される
ことを特徴とする釣竿保持具。
【請求項２】
前記固定部は、さらに、前記固定部の端部のうち前記面ファスナーが形成されている側の端部に前記面ファスナーが形成されていない空白部を有する
ことを特徴とする請求項１に記載の釣竿保持具。
【請求項３】
前記箱体は、前記箱体の内部の下端部が前記箱体の開口部と比べて狭くなるように形成されている
ことを特徴とする請求項１または２に記載の釣竿保持具。
【請求項４】
前記箱体は、前記箱体の内部に所定の角度傾斜した傾斜部材を有する
ことを特徴とする請求項３に記載の釣竿保持具。
【請求項５】
前記箱体は、前記箱体の開口端内周に取り付けられる第１の弾性部材を備える
ことを特徴とする請求項１から４のいずれか１項に記載の釣竿保持具。
【請求項６】
前記箱体は、前記箱体の内部の底部に取り付けられる第２の弾性部材を備える
ことを特徴とする請求項１から５のいずれか１項に記載の釣竿保持具。
【発明の詳細な説明】
【技術分野】
【０００１】
本発明は、餌の付け替えなどの作業を安全に行うための釣竿保持具に関し、特に携行可能な釣竿保持具に関する。
【背景技術】
【０００２】
従来、釣りをしているとき、例えば、エサの交換、釣った魚からの針の取り外しなど、両手を使う作業が頻繁に起こる。そのとき、釣り竿を脇や股の下に挟んだり地面に置いたりしないと両手を自由に使うことができなかった。しかし、釣竿を脇や股の間に挟むと体を自由に動かすことができない。また、地面におくと地面には小石や先の尖った岩や貝などがあって釣竿に傷が付く。また、地面でなく適当な岩や壁などを見つけて釣竿を立て掛けた場合でも、岩や壁などの先の尖った部分などが釣竿に当たって大切な釣竿に傷がつく。運悪く釣竿が倒れてしまった場合には、地面に勢いよく当たり釣竿に傷がついたり、時には人に向けて倒れてしまいトラブルになりさえすることもある。さらに、テトラポットや磯の上のような狭い場所では平坦な場所が少なく、釣り竿を置く場所を探すのにさえ苦労する。
【０００３】
そこで、近年、上述の問題を解決する釣竿保持具として、いろいろなものが提案されてきた（例えば、特許文献１参照。）。
【０００４】
上記特許文献１の釣竿保持具６００は、図８に示すように、筒６０１と、筒を取り付ける板６０２と、板６０２の上部に取り付けられ、体に装着されているベルト７００を介して保持具を装着するのに用いられるベルト通し６０３と、板６０２を体に固定する保持ベルト６０４とから構成される。これにより、釣竿７０１を身体に取り付けた筒に入れて保持することができ、両手が使えるようになる。
【特許文献１】特開平９−２６６７４５号公報
【発明の開示】
【発明が解決しようとする課題】
【０００５】
しかしながら、上記特許文献１の釣竿保持具６００では、釣竿が傾いた状態で保持されるため、移動の際には釣竿７０１が邪魔になる問題があり、最悪の場合には他人にぶつけてしまいトラブルになってしまうこともある。さらに、上記特許文献１の釣竿保持具６００では、両手が使えるようになるものの取り付け部品が多く着脱に手間がかかるため、急に釣り場を離れる必要が生じた場合にもすぐに対応できない。また、釣り場に到着してすぐに釣りを始めたいもしくは帰宅予定時間のぎりぎりまで釣りをしたくとも、着脱等の準備作業に時間を要してしまい、釣り人にとってはわずらわしく感じる。そのため、手間も時間もかからない、着脱をより簡便化した釣竿の保持具が望まれてきた。
【０００６】
そこで、本発明は、かかる状況に鑑みてなされたものであって、手間もかからずすばやく着脱できる釣竿保持具を提供することを目的とする。
【課題を解決するための手段】
【０００７】
上記目的を達成するために、本発明に係る釣竿保持具は、釣竿を保持する釣竿保持具であって、釣竿を保持する中空の有底の箱体と、前記箱体を内部に保持する箱体保持部と、前記箱体保持部と一体形成され、身体のふくらはぎに固定する固定部とを備え、前記固定部の表面および裏面の一部に、一対の雌雄からなる面ファスナーがそれぞれ形成されることを特徴とする。
【０００８】
これにより、一体で構成されている前記釣竿保持具の着脱箇所が一対の雌雄からなる面ファスナーで形成されているので、前記釣竿保持具の着脱の簡便化が実現できる。
【０００９】
ここで、好ましくは、前記固定部は、さらに、前記固定部の端部のうち前記面ファスナーが形成されている側の端部に前記面ファスナーが形成されていない空白部を有することを特徴とする。
【００１０】
これにより、前記空白部は片手の指で掴んで引っ張ることができるので、前記釣竿保持具を身体のふくらはぎから容易に取り外しができるようになるので、取り外しの際の簡便化が実現されている。
【００１１】
さらに、好ましくは、前記箱体は、前記箱体の内部の下端部が前記箱体の開口部と比べて狭くなるように形成されていることを特徴する。このとき、前記箱体は、前記箱体の内部に所定の角度傾斜した傾斜部材を有しても良い。
【００１２】
これにより、釣竿が入れやすいと同時に釣竿が挿入された時に、釣竿が前記箱体に対しまっすぐ保持される、すなわち地面に対して垂直方向に保持されるようになるので、前記釣竿保持具を利用している時に移動したとしても釣竿が邪魔になることもなく、また他人にぶつけてしまいトラブルになるということもない、つまり、利便性と安全性が実現されている。
【００１３】
さらに、好ましくは、前記箱体は、前記箱体の開口端内周に取り付けられる第１の弾性部材を備えることを特徴する。
【００１４】
これにより、前記箱体に取り付けられた第１の弾性部材、例えば、ゴム部材が釣竿の側面を傷つけることなく釣竿の係止することが可能になる。
【００１５】
さらに、好ましくは、前記箱体は、前記箱体の内部の底部に取り付けられる第２の弾性部材を備えることを特徴する。
【００１６】
これにより、前記箱体内部の底に取り付けられた第２の弾性部材、例えば、発泡スチロールなどのクッション材が、釣竿の底部を傷つけることなく釣竿を係止することが可能になる。
【発明の効果】
【００１７】
本発明により、手間もかからずすばやく着脱できる釣竿保持具を実現することが出来る。釣りの愛好家が世界に数多いる今日において、本発明の実用的価値は極めて高い。
【発明を実施するための最良の形態】
【００１８】
以下、本発明の実施の形態における釣竿保持具について、図面を参照しながら説明する。
【００１９】
図１は、本実施の形態の釣竿保持具を、釣り人に装着した際の状態を示す図である。図１（ａ）は、釣竿保持具を装着し釣竿を保持した釣り人の側面からの様子を示す図である。図１（ｂ）は、釣竿保持具を装着し釣竿を保持した釣り人の斜視した様子を示す図である。
【００２０】
釣竿保持具１００を足のふくらはぎ部分に、竿ケース２０７の入った竿ケース入れ１０３が体の側面に来るように取り付ける。竿ケース２０７に釣竿７０１が挿入されると、釣竿７０１は竿ケース２０７より係止され、竿ケース２０７が挿入された竿ケース入れ１０３を有した釣竿保持具１００により保持される。これにより、釣竿７０１が傾かずに保持することができ、さまざまな釣りの場面、例えば、岩場や堤防など、狭い場所での釣った魚の取り外しやエサの交換、ウキや釣り糸の取替えの場面に両手が使えるようになり利便性が向上する。ここで、釣竿保持具１００は図中、左足のふくらはぎ部分に取り付けられているが、左右のどちらの足に取り付けても良い。
【００２１】
図２は、本発明の実施の形態の釣竿保持具を示す正面図である。
釣竿保持具１００は、上述したとおり、足のふくらはぎ部分に取り付けられ、釣竿７０１を保持するために用いられる。
【００２２】
釣竿保持具１００は、例えば、塩化ビニール、合成皮などの水をはじく軽い材料からなり、釣竿保持具１００を足のふくらはぎ部分に取り付け、固定するのに用いられるメスマジックテープ１０１と、足に熱がこもり過ぎないように空気の出入りが可能な通気ネット１０２と、釣竿７０１を保持するための竿ケース２０７と、竿ケース２０７が挿入され保持される竿ケース入れ１０３と、安全対策として暗闇で車などのライトに反射する素材からなる反射テープ１０４と、小物が引っ掛けられるフック１０５と、小物、例えば懐中電灯を入れることができるポケット１０６とが形成されている。また、釣竿保持具１００は、装着時のファッション性を考慮して、ステルス戦闘機のような、エイのような形状となっている。
【００２３】
これにより、取り付け部品の少ない一体化された釣竿保持具が実現されている。
ここで、釣竿保持具１００の長手方向の長さＬ１は、例えば、５１ｃｍであり、短手方向の長さＬ２は、例えば２４ｃｍである。また、メスマジックテープ１０１の釣竿保持具１００の長手方向の長さＬ３は、例えば１６ｃｍとなっており、釣竿保持具１００が足のふくらはぎ部分で固定されるのに十分な領域を確保している。また、竿ケース入れ１０３の釣竿保持具１００の長手方向の長さＬ５は、例えば４．５ｃｍとなっている。以上により、釣竿保持具１００は携行可能な大きさ、重さとなっており、釣り場に持ってゆくような鞄や袋に入れて持ち運ぶことも簡単にできるようになっている。
【００２４】
図３は、本発明の実施の形態の釣竿保持具を示す背面図である。
釣竿保持具１００は、さらに、釣竿保持具をふくらはぎ部分に固定するための、メスマジックテープ１０１に対として用いられるオスマジックテープ１０８が形成されている。空白部１０９は、装着されている釣竿保持具１００を取り外しする際に用いられ、オスマジックテープ１０８が形成されていない空白の領域となっている。空白部１０９を片手の指で掴んで引っ張ることにより、オスマジックテープ１０８とメスマジックテープ１０１が合わさり係止されることで固定されている釣竿保持具１００を簡単に取り外しできる。このとき、釣竿保持具１００を身体に固定するために形成されたマジックテープ部分は一箇所であるので、取り外しはワンタッチ、すなわち片手でできるようになっている。また、オスマジックテープ１０８とメスマジックテープ１０１とは広い領域で合わさるように、釣竿保持具１００の長手方向の両端部のそれぞれ表側と裏側との一箇所に一様な領域で形成されている。オスマジックテープ１０８とメスマジックテープ１０１とが係着される領域が十分に広いので、簡単に雄雌マジックを合わせることができ、かつ係着する際、身体にしっかり固定できるようになっている。ここで、オスマジックテープ１０８の釣竿保持具１００の長手方向の長さＬ４は、例えば、１０ｃｍである。これにより、保持具として着脱の簡便化が実現されている。また、通気ネット１０２は背面と正面との間で空気を通すよう形成されている。これにより、熱による足のむれを防止し長時間使用できる快適性が実現されている。
【００２５】
図４は、本発明の実施の形態の使用状態における釣竿保持具を示す平面図である。
図５は、本発明の実施の形態の使用状態における釣竿保持具を示す底面図である。
【００２６】
図４，図５より、釣竿保持具１００は、竿ケース入れ１０３とそれに挿入されている竿ケース２０７が釣竿保持具１００から凸になるよう形成されているのがわかる。フック１０５およびポケット１０６も同様である。竿ケース入れ１０３および竿ケース２０７は有底の中空となっている。竿ケース入れ１０３および竿ケース２０７は、釣竿保持具１００をふくらはぎ部分へ装着した時に上部となる開口部から釣竿７０１が挿入され、下部の有底にて係止される。また、メスマジックテープ１０１をオスマジックテープ１０８が覆い係着するよう形成されているのがわかる。これにより、空白部１０９を片手の指で掴んで引っ張ることにより、簡単に取り外しができるのがわかる。つまり取り外しはワンタッチ、すなわち片手でできるようなっているのがわかる。なお、メスマジックテープ１０１およびオスマジックテープ１０８は、釣竿保持具１００を足のふくらはぎ部分に容易に取り付け、固定するのに用いられるので、一対の雌雄からなるマジックテープが使われていればよく、釣竿保持具１００の正面にオスマジックテープ１０８、背面にメスマジックテープ１０１が形成されてもよい。
【００２７】
ここで、メスマジックテープ１０１およびオスマジックテープ１０８は、ワンタッチで止められ、引っ張ると簡単にはがせられるマジックテープ（登録商標）を示し、マジックテープは面ファスナーの代名詞として用いられる。
【００２８】
図６は、本発明の実施の形態の竿ケースを示す斜視図である。
竿ケース２０７は、例えば、プラスチックからなる、水をはじく材質からなり、中空の有底の箱体である。竿ケース２０７は、釣竿保持具１００が装着されたとき開口部２０８が上に、有底部２０９が下になるよう竿ケース入れ１０３に挿入される。また、竿ケース２０７の内部の開口部２０８の周縁に沿って、釣竿７０１を保持するときに釣竿７０１を傷つけないようにゴム部材２１０が取り付けられている。これにより、大切な釣竿７０１を傷つけることなく釣竿７０１の保持が可能になる。ここで、ゴム部材２１０は、釣竿７０１を保持するときに釣竿７０１を傷つけないような弾性を有す材料であればよく、例えば、ウレタン樹脂でも良い。また、竿ケースの材料も、中空の有底の箱体であれば良く、プラスチックでなくともよい。
【００２９】
図７は、本発明の実施の形態の竿ケースを示す断面図であり、図６のＡ−Ａ´断面図である。
【００３０】
竿ケース２０７の内部は、底部に向けて開口部に比べて狭くなるように傾斜部材２１１が形成されている。これにより、釣竿７０１を挿入するのが容易になっており、それと同時に、釣竿７０１が竿ケース２０７に挿入された時に、釣竿７０１が竿ケースに対しまっすぐ保持される、すわなち、地面に対して垂直方向に保持されるようになっている。そのため、釣竿保持具１００を利用時に移動しても釣竿７０１が邪魔になることもなく、また他人にぶつけてしまいトラブルになるということもない。つまり、本発明に係る釣竿保持具１００は利便性および安全性の向上が実現されている。また、竿ケース２０７の内部の底には、釣竿７０１を保持するときに釣竿７０１を傷つけないために、例えば発泡スチロールなどのクッション材２１２が挿入されている。これにより、大切な釣竿７０１を傷つけることなく釣竿７０１の保持が可能になる。
【００３１】
ここで、竿ケース２０７の長手方向の長さＬ６は、例えば２２ｃｍである。竿ケース２０７の短手方向の長さＬ５は、例えば４．５ｃｍである。また、傾斜部材２１１は、竿ケース２０７の短手方向の内部の底の幅Ｌ７が、例えば３ｃｍになるよう形成されている。
【００３２】
なお、竿ケース２０７は、中空の有底の箱体でなくともよく、例えば、中空からなる有底の柱体でもよく、中空からなる有底であり釣竿７０１を上述のように係止できる形状であればよい。
【００３３】
以上より、本実施の形態の釣竿保持具１００を用いると、着脱箇所が一対の雌雄からなるマジックテープで形成されており、着脱箇所含めて一体物で形成されるので、着脱がより簡便化されている。それにより、必要に応じて迅速に着脱ができるので、さまざまな釣り、例えば、岩場や堤防など、狭い場所において釣った魚の取り外しやエサの交換、ウキや釣り糸の取替えのとき、両手が使えるようになり利便性が向上する。さらに、上述のように、釣竿７０１が保持された際に傷がつかないように工夫されているので、安心して使用できる。また、釣竿７０１が地面に垂直になるよう保持されるので、釣竿保持具１００を利用しながら移動しても隣人に当たりトラブルになることもない。また、釣竿保持具１００には、使用時にふくらはぎ部分がむれないように通気ネット１０２が形成されていたり、釣り針などの小物を引っ掛けるフック１０５や懐中電灯などの小物品を収納できるポケット１０６が形成されていたりと釣り人の利便性を向上させる工夫も施されている。
【００３４】
以上のように、本実施の形態によれば、ワンタッチ式に着脱することができるだけでなく、釣竿保持時に大切な釣竿を傷つけることなく、さらに釣竿を保持しながら移動しても釣竿が邪魔になることもない利便性が向上した釣竿保持具が実現できる。
【産業上の利用可能性】
【００３５】
本発明は、釣竿保持器具に利用でき、特に利便性の高い携行可能な釣竿保持具として利用することができる。
【図面の簡単な説明】
【００３６】
【図１】本発明の実施の形態の釣竿保持具を、釣り人に装着した際の状態を示す図である。
【図２】本発明の実施の形態の釣竿保持具を示す正面図である。
【図３】本発明の実施の形態の釣竿保持具を示す背面図である。
【図４】本発明の実施の形態の使用状態における釣竿保持具を示す平面図である。
【図５】本発明の実施の形態の使用状態における釣竿保持具を示す底面図である。
【図６】本発明の実施の形態の竿ケースを示す斜視図である。
【図７】本発明の実施の形態の竿ケースを示す側面断面図である。
【図８】従来における簡易釣竿受け器具を、釣り人に装着した際の状態を示す図である。
【符号の説明】
【００３７】
１００    釣竿保持具
１０１    メスマジックテープ
１０２    通気ネット
１０３    竿ケース入れ
１０４    反射テープ
１０５    フック
１０６    ポケット
１０８    オスマジックテープ
１０９    空白部
２０７    竿ケース
２０８    開口部
２０９    有底部
２１０    ゴム部材
２１１    傾斜部材
２１２    クッション材
６００    保持具
６０１    筒
６０２    板
６０３    ベルト通し
６０４    保持ベルト
７００    ベルト
７０１    釣竿
【図１】
2008072934.tif 000003
【図２】
2008072934.tif 000004
【図３】
2008072934.tif 000005
【図４】
2008072934.tif 000006
【図５】
2008072934.tif 000007
【図６】
2008072934.tif 000008
【図７】
2008072934.tif 000009
【図８】
2008072934.tif 000010
【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
釣竿を保持する釣竿保持具であって、
釣竿を保持する中空の有底の箱体と、
前記箱体を内部に保持する箱体保持部と、
前記箱体保持部の長手方向の縁の全体が接着するように一体形成され、身体のふくらはぎに固定する固定部とを備え、
前記箱体は、前記箱体の内部の底部に取り付けられる第１の弾性部材を有し、
前記固定部の表面および裏面の一部に、一対のみの雌雄からなる面ファスナーがそれぞれ形成される
ことを特徴とする釣竿保持具。
【請求項２】
前記固定部は、さらに、前記固定部の端部のうち前記面ファスナーが形成されている側の端部に前記面ファスナーが形成されていない空白部を有する
ことを特徴とする請求項１に記載の釣竿保持具。
【請求項３】
前記箱体は、前記箱体の内部の下端部が前記箱体の開口部と比べて狭くなるように形成されている
ことを特徴とする請求項１または２に記載の釣竿保持具。
【請求項４】
前記箱体は、前記箱体の内部に所定の角度傾斜した傾斜部材を有する
ことを特徴とする請求項３に記載の釣竿保持具。
【請求項５】
前記箱体は、前記箱体の開口端内周に取り付けられる第２の弾性部材を備える
ことを特徴とする請求項１から４のいずれか１項に記載の釣竿保持具。
【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
釣竿を保持する釣竿保持具であって、
釣竿を保持する中空の有底の箱体と、
身体のふくらはぎに固定する固定部と、
前記固定部に有袋状に一体形成されることにより前記箱体を内部に保持する箱体保持部と
を備え、
前記箱体は、前記箱体の内部の底部に取り付けられる第１の弾性部材を有し、
前記固定部の表面および裏面の一部に、一対のみの雌雄からなる面ファスナーがそれぞれ形成される
ことを特徴とする釣竿保持具。
【請求項２】
前記固定部は、さらに、前記固定部の端部のうち前記面ファスナーが形成されている側の端部に前記面ファスナーが形成されていない空白部を有する
ことを特徴とする請求項１に記載の釣竿保持具。
【請求項３】
前記箱体は、前記箱体の内部の下端部が前記箱体の開口部と比べて狭くなるように形成されている
ことを特徴とする請求項１または２に記載の釣竿保持具。
【請求項４】
前記箱体は、前記箱体の内部に所定の角度傾斜した傾斜部材を有する
ことを特徴とする請求項３に記載の釣竿保持具。
【請求項５】
前記箱体は、前記箱体の開口端内周に取り付けられる第２の弾性部材を備える
ことを特徴とする請求項１から４のいずれか１項に記載の釣竿保持具。